(57)【特許請求の範囲】
【請求項１】
表面に文字及び絵柄が印刷されている複数の同形状の第１パズル片と、キャラクター等の形象物が印刷されたパズル板とを備え、前記キャラクター等の形象物が印刷されている部分は第２パズル片となっており、前記パズル板には第２パズル片と対応する第３嵌合凹部を備え、第２パズル片は１つの第１嵌合凹部を有し、前記パズル板上に、第１嵌合凹部と同形状の第２嵌合凹部を複数備え、第１嵌合凹部及び第２嵌合凹部は前記第１パズル片の形状及び大きさに合わされており、該第１嵌合凹部や第２嵌合凹部に、前記第１パズル片の内の任意のものを嵌め込むことができることを特徴とする置き換えパズル。
【請求項２】
請求項１において、第２嵌合凹部に、該嵌合凹部と同形とされる第１パズル片と関連する文字及び絵柄が印刷されていることを特徴とする置き換えパズル。
【請求項３】
請求項２において、文字及び絵柄が印刷されている第２嵌合凹部は、文字の配列順に、前記パズル板に配設されていることを特徴とする置き換えパズル。
【発明の詳細な説明】
【０００１】
【発明の属する技術分野】
本発明は、文字やその配列や、物や事象等の名前を覚えることができるパズルに関する。
【０００２】
【従来の技術】
従来より、子供に文字を覚えさせるものとして、パズル片に文字が記載された文字パズルや、文字やその配列、物や事象等の名前を覚えさせるものとして、パズル片の表面に文字が記載され、裏面にその文字を頭文字とする絵柄が記載されたパズル等がある。これらのパズルは、パズル片を文字の配列順に正しく配置したり、パズル片の表面に記載されている絵柄から、表面に記載されている文字を類推して、正しい配列順に配置することによって、文字や、物や事象等の名前を覚えるというものである。
【０００３】
しかしながら、１つ１つの文字や、物や事象等の名前等を、確実に、正しく、且つ楽しく覚えられるという効果はあまり期待できなかった。
【０００４】
【発明が解決しようとする課題】
そこで、本発明は、上記従来技術の問題点に鑑みなされたもので、１つ１つの文字や、物や事象等の名前等について、確実に、正しく、且つ楽しく覚えられる置き換えパズルを提供することを目的としている。
【０００５】
また、本発明は楽しく遊びながら文字の配列、およびその文字と関連するものを覚えることができるパズルを提供することを目的としている。
【０００６】
【課題を解決するための手段】
請求項１記載の発明は、置き換えパズルであって、表面に文字及び絵柄が印刷されている複数の同形状の第１パズル片と、キャラクター等の形象物が印刷されたパズル板とを備え、前記キャラクター等の形象物が印刷されている部分は第２パズル片となっており、前記パズル板には第２パズル片と対応する第３嵌合凹部を備え、第２パズル片は１つの第１嵌合凹部を有し、前記パズル板上に、第１嵌合凹部と同形状の第２嵌合凹部を複数備え、第１嵌合凹部及び第２嵌合凹部は前記第１パズル片の形状及び大きさに合わされており、該第１嵌合凹部や第２嵌合凹部に、前記第１パズル片の中から任意のパズル片を嵌め込むことができることを特徴とする。尚、該パズル片に印刷される絵柄は、ＣＧや、写真を加工した絵柄等も含む。
【０００７】
本発明によれば、例えば前記パズル板に印刷された形象物が熊で、該熊の手の部分に第１嵌合凹部がある場合、該嵌合凹部に、任意の文字の印刷された前記パズル片を嵌め込んで、知育者が被知育者に「熊さんの手に持っている文字は何かな？」と問い掛けて、被知育者に、該パズル片に印刷されている文字を当てさせることによって、被知育者は、１つ１つの文字を確実に、正しく、且つ楽しく覚えられる。逆に、知育者が被知育者に「熊さんの手に「あ」の文字を持ってきましょう。」と言って、被知育者に「あ」の文字が印刷されているパズル片を探させて、該嵌合凹部に嵌め込ませる事によっても、同様の効果が得られる。
【０００８】
更に本発明によれば、例えば、前記キャラクター等の形象物が複数印刷されている場合等は、該形象物毎に印刷されている形状の異なる第２パズル片を、対応する第３嵌合凹部に、正しく嵌め込んで遊ぶことができ、異なる形状に対する理解を深めることができる。
【０００９】
そして、本発明によれば、前記パズル板上に、第１嵌合凹部と同形状の第２嵌合凹部を複数備えることにより、複数のパズル片を第２嵌合凹部に嵌め込んだ状態にすることができ、コンパクトなパズルを提供することができる。
【００１０】
請求項２記載の発明は、請求項１記載の置き換えパズルであって、第２嵌合凹部に、該嵌合凹部と同形のパズル片と関連する文字及び絵柄が印刷されていることを特徴とする。尚、該嵌合凹部に印刷される絵柄は、ＣＧや、写真を加工した絵柄等も含む。
【００１１】
本発明によれば、例えば第１パズル片の内の一パズル片の表面に、「あ」のひらがな文字及びアヒルの絵柄が印刷されており、一方、第２嵌合凹部に「あ」及び「あひる」のひらがな文字が印刷されている場合、第１パズル片及び第２嵌合凹部の文字を手掛りにして、該第１パズル片を該嵌合凹部に嵌め込むよう誘導することができる。また、該第１パズル片のアヒルの絵柄から、該嵌合凹部の「あひる」のひらがな文字を覚えることもできる。
【００１２】
請求項３記載の発明は、請求項２記載の置き換えパズルであって、第２嵌合凹部は、前記パズル板に、文字の配列順に配設されていることを特徴とする。
【００１３】
本発明によれば、第２嵌合凹部は、前記パズル板に、文字の配列順に配置されていることにより、例えば第１パズル片及び第２嵌合凹部に「あ」、「い」、「う」等の５０音のひらがなが印刷されている場合には、パズル遊びをすることによって、５０音の順番を覚えることができる。
【００１４】
【００１５】
【００１６】
【発明の実施の形態】
本発明は、表面に文字及び絵柄が印刷されている複数の同形状の第１パズル片と、キャラクター等の形象物が印刷されたパズル板とを備え、該パズル板の一部に複数の第１嵌合凹部を設け、該第１嵌合凹部に、前記第１パズル片の中から任意のパズル片を嵌め込むことができる。また、前記パズル板上に、第１嵌合凹部と同形状の第２嵌合凹部を複数備え、第２嵌合凹部の表面には、該嵌合凹部と同形のパズル片と関連する文字及び絵柄が印刷されており、第２嵌合凹部はその文字の配列順に配置されている。
【００１７】
また、前記キャラクター等の形象物が印刷されている部分は、第２パズル片となっており、一方前記パズル板に、該第２パズル片と対応する第３嵌合凹部を備えている。
【００１８】
【実施例】
以下、図面に基づいて本発明の実施例を詳細に説明する。図１は、本発明の一実施例におけるパズル板及び嵌合凹部を示す図である。パズル板１は、紙、木、硬質の樹脂等の、軽量で、変形の起こりにくい素材で構成されている。符号２から符号４は、第３嵌合凹部であり、符号５は、全て第２嵌合凹部であり、全て同じ形状をしている。
【００１９】
符号２の第３嵌合凹部の表面には、トラが鉢植えの手に花を持っている絵柄が印刷されており、符号３の第３嵌合凹部の表面には、ブタが手に箱を持っている絵柄が印刷されており、符号４の第３嵌合凹部の表面には、クマが手に蜂蜜の入った壷を持っている絵柄が印刷されている。
【００２０】
符号５の第２嵌合凹部の表面には、ひらがな1文字と、その文字を頭文字とする物や事象の名前のひらがな文字及びその文字を頭文字とする物や事象の絵柄が印刷されている。そして、第２嵌合凹部５は、該ひらがなに対応して、５０音順の行毎に、パズル板上に配置されている。また、第２嵌合凹部５の形状は、ほぼ長方形で、嵌め込まれたパズル片を取り出し易いように、上部に凸部を有する。
【００２１】
例えば、符号５の第２嵌合凹部の表面には、図１に示したように、
「あ」及び「あひる」のひらがな文字並びにアヒルの絵柄が印刷されたもの、
「い」及び「いちご」のひらがな文字並びに苺の絵柄が印刷されたもの、
「う」及び「うきわ」のひらがな文字並びに浮き輪の絵柄が印刷されたもの、
「え」及び「えのぐ」のひらがな文字並びに絵の具の絵柄が印刷されたもの、
「お」及び「おくりもの」のひらがな文字並びに贈り物の絵柄が印刷されたもの、
「か」及び「かさ」のひらがな文字並びに傘の絵柄が印刷されたもの、
「き」及び「きのこ」のひらがな文字並びにキノコの絵柄が印刷されたもの、
「く」及び「くも」のひらがな文字並びに雲の絵柄が印刷されたもの、
「け」及び「けいと」のひらがな文字並びに毛糸の絵柄が印刷されたもの、
「こ」及び「こうちゃ」のひらがな文字並びに紅茶の絵柄が印刷されたもの、
「さ」及び「さかな」のひらがな文字並びに魚の絵柄が印刷されたもの、
「し」及び「しゃしん」のひらがな文字並びに写真の絵柄が印刷されたもの、
「す」及び「すいか」のひらがな文字並びに西瓜の絵柄が印刷されたもの、
「せ」及び「せっけん」のひらがな文字並びに石鹸の絵柄が印刷されたもの、
「そ」及び「そり」のひらがな文字並びにソリの絵柄が印刷されたもの、
「た」及び「たいこ」のひらがな文字並びに太鼓の絵柄が印刷されたもの、
「ち」及び「ちょうちょ」のひらがな文字並びに蝶蝶の絵柄が印刷されたもの、
「つ」及び「つき」のひらがな文字並びに月の絵柄が印刷されたもの、
「て」及び「てんとうむし」のひらがな文字並びにてんとう虫の絵柄が印刷されたもの、
「と」及び「とけい」のひらがな文字並びに時計の絵柄が印刷されたもの、
「な」及び「ながれぼし」のひらがな文字並びに流れ星の絵柄が印刷されたもの、
「に」及び「にんじん」のひらがな文字並びに人参の絵柄が印刷されたもの、
「ぬ」及び「ぬいぐるみ」のひらがな文字並びにぬいぐるみの絵柄が印刷されたもの、
「ね」及び「ねんど」のひらがな文字並びに粘土の絵柄が印刷されたもの、
「の」及び「のこぎり」のひらがな文字並びに鋸の絵柄が印刷されたもの、
「は」及び「はちみつ」のひらがな文字並びに蜂蜜の絵柄が印刷されたもの、
「ひ」及び「ひまわり」のひらがな文字並びに向日葵の絵柄が印刷されたもの、
「ふ」及び「ふうせん」のひらがな文字並びに風船の絵柄が印刷されたもの、
「へ」及び「へび」のひらがな文字並びに蛇の絵柄が印刷されたもの、
「ほ」及び「ほん」のひらがな文字並びに本の絵柄が印刷されたもの、
「ま」及び「まるた」のひらがな文字並びに丸太の絵柄が印刷されたもの、
「み」及び「みかん」のひらがな文字並びにみかんの絵柄が印刷されたもの、
「む」及び「むぎ」のひらがな文字並びに麦の絵柄が印刷されたもの、
「め」及び「めがね」のひらがな文字並びに眼鏡の絵柄が印刷されたもの、
「も」及び「もぐら」のひらがな文字並びにモグラの絵柄が印刷されたもの、
「や」及び「やかん」のひらがな文字並びに薬缶の絵柄が印刷されたもの、
「ゆ」及び「ゆきだるま」のひらがな文字並びに雪だるまの絵柄が印刷されたもの、
「よ」及び「よっと」のひらがな文字並びにヨットの絵柄が印刷されたもの、
「ら」及び「らんぷ」のひらがな文字並びにランプの絵柄が印刷されたもの、
「り」及び「りぼん」のひらがな文字並びにリボンの絵柄が印刷されたもの、
「る」及び「るびー」のひらがな文字並びにルビーの絵柄が印刷されたもの、
「れ」及び「れもん」のひらがな文字並びにレモンの絵柄が印刷されたもの、
「ろ」及び「ろうそく」のひらがな文字並びに蝋燭の絵柄が印刷されたもの、
「わ」及び「わなげ」のひらがな文字並びに輪投げの絵柄が印刷されたもの、
「を」及び「ふえをふく」のひらがな文字並びに笛を吹く絵柄が印刷されたもの、
「ん」及び「くまさん」のひらがな文字並びに熊さんの絵柄が印刷されたもの、
がある。尚、や行の「い」、「え」、わ行の「い」、「う」、「え」については、あ行のものと重複するので本実施例では、該文字に対応する第２嵌合凹部は無く、パズル板１０上の、該文字の相当する位置に、該文字が印刷されている。
【００２２】
図２は、本発明の一実施例におけるパズル片を示す図である。符号２ａの第２パズル片の表面には、トラが手に何かを持っている絵柄が印刷されており、その手の位置に、上述の第２嵌合凹部と同じ形状の第１嵌合凹部２ｂを有する。尚、第１嵌合凹部２ｂに、符号２ｃの鉢植えの花が印刷されているパズル片を嵌め込むと、図３に示すように、トラが鉢植えの手に花を持っている絵柄が表現される。
【００２３】
符号３ａの第２パズル片の表面には、ブタが手に何かを持っている絵柄が印刷されており、その手の位置に、上述の第２嵌合凹部と同じ形状の第１嵌合凹部３ｂを有する。尚、第１嵌合凹部３ｂに、符号３ｃの箱が印刷されているパズル片を嵌め込むと、図３に示すように、ブタが手に箱を持っている絵柄が表現される。
【００２４】
符号４ａの第２パズル片の表面には、クマが手に何かを持っている絵柄が印刷されており、その手の位置に、上述の第２嵌合凹部と同じ形状の第１嵌合凹部４ｂを有する。尚、第１嵌合凹部４ｂに、符号４ｃの蜂蜜の入った壷が印刷されているパズル片を嵌め込むと、図３に示すように、クマが蜂蜜の入った壷を手に持っている絵柄が表現される。
【００２５】
符号５ｃの第１パズル片の表面には、ひらがな1文字と、その文字を頭文字とする物や事象の絵柄が印刷されている。その文字を頭文字とする物や事象の絵柄は、該第１パズル片５ｃと同じひらがな1文字が表面に印刷された第２嵌合凹部５に、印刷されている、物や事象の名前と対応している。そして、５０音順の行順に配列しやすいように、５０音順の同じ行のパズル片の表面の背景色は、同じ色である。
また、第１パズル片５ｃの形状は全て、ほぼ長方形で、嵌め込まれたパズル片を取り出し易いように、上部に凹部を有する。
【００２６】
例えば、符号５ｃのパズル片の表面に、
「あ」のひらがな文字及びアヒルの絵柄が印刷されたもの、
「い」のひらがな文字及び苺の絵柄が印刷されたもの、
「う」のひらがな文字及び浮き輪の絵柄が印刷されたもの、
「え」のひらがな文字及び絵の具の絵柄が印刷されたもの、
「お」のひらがな文字及び贈り物の絵柄が印刷されたもの、
「か」のひらがな文字及び傘の絵柄が印刷されたもの、
「き」のひらがな文字及びキノコの絵柄が印刷されたもの、
「く」のひらがな文字及び雲の絵柄が印刷されたもの、
「け」のひらがな文字及び毛糸の絵柄が印刷されたもの、
「こ」のひらがな文字及び紅茶の絵柄が印刷されたもの、
「さ」のひらがな文字及び魚の絵柄が印刷されたもの、
「し」のひらがな文字及び写真の絵柄が印刷されたもの、
「す」のひらがな文字及び西瓜の絵柄が印刷されたもの、
「せ」のひらがな文字及び石鹸の絵柄が印刷されたもの、
「そ」のひらがな文字及びソリの絵柄が印刷されたもの、
「た」のひらがな文字及び太鼓の絵柄が印刷されたもの、
「ち」のひらがな文字及び蝶蝶の絵柄が印刷されたもの、
「つ」のひらがな文字及び月の絵柄が印刷されたもの、
「て」のひらがな文字及びてんとう虫の絵柄が印刷されたもの、
「と」のひらがな文字及び時計の絵柄が印刷されたもの、
「な」のひらがな文字及び流れ星の絵柄が印刷されたもの、
「に」のひらがな文字及び人参の絵柄が印刷されたもの、
「ぬ」のひらがな文字及びぬいぐるみの絵柄が印刷されたもの、
「ね」のひらがな文字及び粘土の絵柄が印刷されたもの、
「の」のひらがな文字及び鋸の絵柄が印刷されたもの、
「は」のひらがな文字及び蜂蜜の絵柄が印刷されたもの、
「ひ」のひらがな文字及び向日葵の絵柄が印刷されたもの、
「ふ」のひらがな文字及び風船の絵柄が印刷されたもの、
「へ」のひらがな文字及び蛇の絵柄が印刷されたもの、
「ほ」のひらがな文字及び本の絵柄が印刷されたもの、
「ま」のひらがな文字及び丸太の絵柄が印刷されたもの、
「み」のひらがな文字及びみかんの絵柄が印刷されたもの、
「む」のひらがな文字及び麦の絵柄が印刷されたもの、
「め」のひらがな文字及び眼鏡の絵柄が印刷されたもの、
「も」のひらがな文字及びモグラの絵柄が印刷されたもの、
「や」のひらがな文字及び薬缶の絵柄が印刷されたもの、
「ゆ」のひらがな文字及び雪だるまの絵柄が印刷されたもの、
「よ」のひらがな文字及びヨットの絵柄が印刷されたもの、
「ら」のひらがな文字及びランプの絵柄が印刷されたもの、
「り」のひらがな文字及びリボンの絵柄が印刷されたもの、
「る」のひらがな文字及びルビーの絵柄が印刷されたもの、
「れ」のひらがな文字及びレモンの絵柄が印刷されたもの、
「ろ」のひらがな文字及び蝋燭の絵柄が印刷されたもの、
「わ」のひらがな文字及び輪投げの絵柄が印刷されたもの、
「を」のひらがな文字及び笛を吹く絵柄が印刷されたもの、
「ん」のひらがな文字及び熊さんの絵柄が印刷されたもの、
がある。尚、や行の「い」、「え」、わ行の「い」、「う」、「え」については、あ行のものと重複するので本実施例では、該文字に対応するパズル片は無い。
【００２７】
図３に示すように、例えば、「あ」の文字が印刷された第１パズル片５ｃは、「あ」の文字が印刷された第２嵌合凹部５に嵌め込み、「い」の文字が印刷された第１パズル片５ｃは、「い」の文字が印刷された第２嵌合凹部５に嵌め込み、「う」の文字が印刷された第１パズル片５ｃは、「う」の文字が印刷された第２嵌合凹部５に嵌め込み、「か」の文字が印刷された第１パズル片５ｃは、「か」の文字が印刷された第２嵌合凹部５に嵌め込む。全ての第２嵌合凹部５に対応する第１パズル片５ｃが嵌め込まれると、第１パズル片５ｃが５０音順の行毎に配列される。このようにして遊ぶことによって、パズル遊戯者は楽しみながら、文字やその配列を覚えることができる。更に第１パズル片５ｃに印刷されている物や事象等の絵柄と、該第１パズル片５ｃに対応する第２嵌合凹部５に印刷されている文字及び該絵柄の名前によって、その物や事象等の名前や、名前の綴りを覚えることができる。
【００２８】
そして、例えば図４に示すように、第１嵌合凹部２ｂに、「あ」の文字が印刷された第１パズル片５ｃを嵌め込み、第１嵌合凹部３ｂに、「く」の文字が印刷された第１パズル片５ｃを嵌め込み、第１嵌合凹部４ｂに、「そ」の文字が印刷された第１パズル片５ｃを嵌め込む。このとき、知育者が被知育者に「トラさんの手に持っている文字は何かな？」とか、「ブタさんの手に持っている文字は何かな？」とか、「クマさんの手に持っている文字は何かな？」と問い掛けて、被知育者に該第１パズル片５ｃに印刷されている文字を当てさせることによって、被知育者に、１つ１つの文字を確実に、正しく、且つ楽しく覚えさせることができる。
【００２９】
また、被知育者の名前を構成できるよう、例えば第１嵌合凹部２ｂに、「あ」の文字が印刷された第１パズル片５ｃを嵌め込み、第１嵌合凹部３ｂに、「や」の文字が印刷された第１パズル片５ｃを嵌め込み、第１嵌合凹部４ｂに、「か」の文字が印刷された第１パズル片５ｃを嵌め込む。このとき、知育者が被知育者に「トラさん、ブタさん、クマさんの手に持っている文字を続けて読むと何かな？」と問い掛けて、被知育者に該第１パズル片５ｃに印刷されている文字を続けて読ませることによって、被知育者に、例えば自分の名前等の連続した文字を、確実に、正しく、且つ楽しく覚えさせることができる。
【００３０】
逆に、知育者が被知育者に「トラさんの手に「あ」の文字を持ってきましょう。」と言って、被知育者に「あ」の文字が印刷されている第１パズル片を探させて、第１嵌合凹部２ｃに嵌め込ませたり、「ブタさんの手に「く」の文字を持ってきましょう。」と言って、被知育者に「く」の文字が印刷されている第１パズル片を探させて、第１嵌合凹部３ｃに嵌め込ませたり、「クマさんの手に「そ」の文字を持ってきましょう。」言って、被知育者に「そ」の文字が印刷されている第１パズル片を探させて、第１嵌合凹部４ｃに嵌め込ませる事によって、被知育者に、１つ１つの文字を確実に、正しく、且つ楽しく覚えさせることができる。
【００３１】
また、知育者が被知育者に、例えば「あやかちゃんの名前の文字を、トラさん、ブタさん、クマさんの手に持たせてあげましょう。」と言って、被知育者に「あ」「や」「か」の文字が印刷されている第１パズル片を探させて、第１嵌合凹部２ｃ、３ｃ、４ｃ嵌め込ませる事によって、被知育者に、例えば自分の名前等の連続した文字を、確実に、正しく、且つ楽しく覚えさせることができる。
【００３２】
以上、好ましい実施例を挙げて本発明を説明したが、本発明はその実施例に限定されるものではなく、特許請求の範囲に記載した技術的範囲内で種々に改変できる。例えば、第１パズル片及び第２嵌合凹部に印刷される文字は、片仮名や、アルファベット、漢字であっても良い。
【００３３】
また、パズル板又はパズル片に印刷されるキャラクター等の形象物は、上述の通りでなくても良い。
【００３４】
また、パズル板及びパズル片の素材は、比較的軽量で、変形の起こりにくい素材であれば、上述の通りでなくても良い。
【００３５】
また、パズル片及び嵌合凹部の形状は、上述の通りでなくても良く、例えば帽子の形や、花の形、長靴等の形等でも良い。
【００３６】
【発明の効果】
本発明は、以上説明したような形態で実施され、次のような効果を有する。
【００３７】
本発明によれば、例えば前記パズル板に印刷された形象物が熊で、該熊の手の部分に第１嵌合凹部がある場合、該第１嵌合凹部に、任意の文字の印刷された前記第１パズル片を嵌め込んで、知育者が被知育者に「熊さんの手に持っている文字は何かな？」と問い掛けて、被知育者に、該第１パズル片に印刷されている文字を当てさせることによって、被知育者は、１つ１つの文字を確実に、正しく、且つ楽しく覚えられる。逆に、知育者が被知育者に「熊さんの手に「あ」の文字を持ってきましょう。」と言って、被知育者に「あ」の文字が印刷されている第１パズル片を探させて、該第１嵌合凹部に嵌め込ませる事によっても、同様の効果が得られる。
【００３８】
本発明によれば、前記パズル板上に、第１嵌合凹部と同形状の第２嵌合凹部を複数備えるにより、複数の第１パズル片を第２嵌合凹部に嵌め込んだ状態にすることができ、コンパクトなパズルを提供することができる。
又、本発明によれば、例えば、前記キャラクター等の形象物が複数印刷されている場合等は、該形象物毎に印刷されている形状の異なる第２パズル片を、対応する第３嵌合凹部に、正しく嵌め込んで遊ぶことができ、異なる形状に対する理解を深めることができる。
【００３９】
本発明によれば、例えば第１パズル片の内の一パズル片の表面に、「あ」のひらがな文字及びアヒルの絵柄が印刷されており、一方、第２嵌合凹部に「あ」及び「あひる」のひらがな文字が印刷されている場合、第１パズル片及び第２嵌合凹部の文字を手掛りにして、該第１パズル片を該第２嵌合凹部に嵌め込むよう誘導することができる。また、該第１パズル片のアヒルの絵柄から、該嵌合凹部の「あひる」のひらがな文字を覚えることもできる。
【００４０】
本発明によれば、前記第２嵌合凹部は、前記パズル板に、文字の配列順に配設されていることにより、例えば第１パズル片又は第２嵌合凹部に「あ」、「い」、「う」等の５０音のひらがなが印刷されている場合には、パズル遊びをすることによって、５０音の順番を覚えることができる。
【００４１】
【図面の簡単な説明】
【図１】  本発明の一実施例におけるパズル板及びパズル板上の嵌合凹部を示す図である。
【図２】  本発明の一実施例におけるパズル片を示す図である。
【図３】  本発明の一実施例におけるパズル板上の嵌合凹部に、対応するパズル片を嵌め込んだ状態を示す図である。
【図４】  本発明の一実施例における遊び方法又は知育方法を示す図である。
【符号の説明】
１      パズル板
２      嵌合凹部
２ａ    パズル片
２ｂ    嵌合凹部
２ｃ    パズル片
３      嵌合凹部
３ａ    パズル片
３ｂ    嵌合凹部
３ｃ    パズル片
４      嵌合凹部
４ａ    パズル片
４ｂ    嵌合凹部
４ｃ    パズル片
５      嵌合凹部
５ｃ    嵌合凹部
【図１】
0003867954.tif 000002
【図２】
0003867954.tif 000003
【図３】
0003867954.tif 000004
【図４】
0003867954.tif 000005